(57)【要約】【課題】  コンパクトで、イニシャルコスト、ランニングコストともに安価な微細気泡発生ノズルを提供する。【解決手段】  気液溶解タンク４に噴霧ノズル５と空気吸引部６と減圧弁９と空気抜き弁８とが連結されてユニット化され、上記空気吸引部６が水道の蛇口２に接続されて、水道水ａの水流で空気吸引部６から吸引された空気ｂが水道水ａに混入されて噴霧ノズル５から気液溶解タンク４内に噴出されるとともに、減圧弁９で微細気泡水ｃに変換されながら、減圧弁９の吐出口１５ａから排水されるようにした。【選択図】  図１
2005205326.tif 000002
【特許請求の範囲】
【請求項１】
気液溶解タンクに噴霧ノズルと空気吸引部と減圧弁と空気抜き弁とが連結されてユニット化され、上記空気吸引部が水道の蛇口に接続されて、水道水の水流で空気吸引部から吸引された空気が水道水に混入されて噴霧ノズルから気液溶解タンク内に噴出されるとともに、減圧弁で微細気泡水に変換されながら、減圧弁の吐出口から排水されるようにしたことを特徴とする微細気泡発生ノズル。
【請求項２】
上記減圧弁は、供給側ノズル部と吐出側ノズル部とで構成されて、上記供給側ノズル部と吐出側ノズル部との間の圧力開放隙間が調整可能であることを特徴とする請求項１記載の微細気泡発生ノズル。
【発明の詳細な説明】
【技術分野】
【０００１】
本発明は、コンパクトな微細気泡発生ノズルに関する。
【背景技術】
【０００２】
従来、液体中に気体が加圧溶解された気液溶解流体を減圧弁で圧力開放して、微細気泡を発生させながら吐出孔から液槽内に噴射吐出させるようにした微細気泡発生装置がある（例えば、特許文献１参照）。
【特許文献１】特開２００１−３４７１４５号公報
【発明の開示】
【発明が解決しようとする課題】
【０００３】
しかしながら、従来の微細気泡発生装置は、微細気泡浴槽や池沼の浄化装置として用いられて、ポンプで液体を吸い込みながら循環させるものであったから、高揚程のポンプを必要とし、ポンプ駆動のための電源も必要となるので、イニシャルコスト、ランニングコストともに高価になるとともに、接続管等が必要となるので、大掛かりになるという問題があった。
【０００４】
本発明は、上記問題を解消するためになされたもので、コンパクトで、イニシャルコスト、ランニングコストともに安価な微細気泡発生ノズルを提供することを課題とするものである。
【課題を解決するための手段】
【０００５】
上記課題を解決するために、請求項１の発明は、気液溶解タンクに噴霧ノズルと空気吸引部と減圧弁と空気抜き弁とが連結されてユニット化され、上記空気吸引部が水道の蛇口に接続されて、水道水の水流で空気吸引部から吸引された空気が水道水に混入されて噴霧ノズルから気液溶解タンク内に噴出されるとともに、減圧弁で微細気泡水に変換されながら、減圧弁の吐出口から排水されるようにしたことを特徴とするものである。
【０００６】
請求項２の発明は、請求項１記載の微細気泡発生ノズルであって、上記減圧弁は、供給側ノズル部と吐出側ノズル部とで構成されて、上記供給側ノズル部と吐出側ノズル部との間の圧力開放隙間が調整可能であることを特徴とするものである。
【発明の効果】
【０００７】
請求項１の発明によれば、気液溶解タンクに、噴霧ノズルと空気吸引部と減圧弁とを連結してユニット化した微細気泡発生ノズルであって、空気吸引部を水道の蛇口に接続することで、水道水の水流で空気吸引部から吸引された空気が水道水に混入されて噴霧ノズルから気液溶解タンク内に噴出されるとともに、減圧弁で微細気泡水に変換されながら、減圧弁の吐出口から排水されるようになる。
【０００８】
したがって、水道水の水流を利用して微細気泡を発生させることができるので、イニシャルコスト、ランニングコストともに安価になるとともに、気液溶解タンク等をユニット化することで接続管等が不要となるので、蛇口から取り外せば、携帯可能な程度にコンパクトになる。
【０００９】
また、気液溶解タンクに空気抜き弁を設けているから、タンク内の余剰空気がタンク外に排出されるので、気液溶解性能が確保できるとともに、蛇口への逆流も防止できるようになる。
【００１０】
さらに、気液溶解タンクの上部に噴霧ノズルと空気吸引部とを連結し、気液溶解タンクの下部に減圧弁を連結すれば、蛇口を閉じると、気液溶解タンク内の残水は自重で吐出口から自動排水されるので衛生的である。
【００１１】
請求項２の発明によれば、減圧弁の供給側ノズル部と吐出側ノズル部との間の圧力開放隙間を調整可能にすれば、微細気泡発生ノズルを蛇口に取付けたままで、圧力開放隙間を狭く調整すれば、微細気泡の多い微細気泡水が得られるとともに、圧力開放隙間を広く調整すれば、微細気泡の少ない通常の水道水が得られるようになる。
【発明を実施するための最良の形態】
【００１２】
以下、本発明を実施するための最良の形態について、図面を参照しながら詳細に説明する。
【００１３】
図１に示すように、水道管１には、下向きに湾曲した蛇口２の手前に止水栓３が設けられている。
【００１４】
微細気泡発生ノズル１１には、気液溶解タンク４が設けられ、この気液溶解タンク４の上部には、噴霧ノズル５を下向きにした空気吸引部（エゼクタ−）６が連結されて、この空気吸引部６は、上記蛇口２に着脱可能に差し込んで接続されるようになる。
【００１５】
上記気液溶解タンク４の上側部には、空気排気口８ａを有する空気抜き弁８が連結されている。上記気液溶解タンク４の内部には、上記噴霧ノズル５と空気抜き弁８とを隔離する潜り堰７が設けられている。また、上記気液溶解タンク４の下部の吐出口１０には、減圧弁９が連結されている。
【００１６】
すなわち、気液溶解タンク４に噴霧ノズル５と空気吸引部６と減圧弁９と空気抜き弁８とが連結されてユニット化されている。
【００１７】
そして、止水栓３で蛇口２を開くと、水道水ａの水流で空気吸引部６の空気吸込口６ａから吸引された空気ｂが水道水ａに混入されて噴霧ノズル５から気液溶解タンク４内に噴出されるとともに、減圧弁９で微細気泡を含む水道水に変換されながら、減圧弁９の吐出口１５ａから微細気泡水ｃが排水されるようになる。なお、気液溶解タンク４内の余剰空気は、空気抜き弁８からタンク外部に排出されるようになる。
【００１８】
図２（ａ）は、上記気液溶解タンク４の吐出口１０に設置された減圧弁９の詳細な断面図である。この減圧弁９は、供給側ノズル部１３と吐出側ノズル部１４とで構成されている。
【００１９】
上記供給側ノズル部１３は、略円柱状の供給側ノズル本体１３ａを備え、この供給側ノズル本体１３ａの中心には減圧開口１３ｂが形成されている。この減圧開口１３ｂは、加圧溶解された気液溶解浴水を吐出するとともに圧力を開放するためのものである。この減圧開口１３ｂの開口周縁には、平滑な開口周縁面１３ｃが形成されている。この開口周縁面１３ｃには、上記減圧開口１３ｂの周囲に沿った円弧凹状のリング溝１３ｄ〔図２（ｂ）参照〕が形成されている。
【００２０】
上記吐出側ノズル部１４は、略円柱状の吐出側ノズル本体１４ａを備え、この吐出側ノズル本体１４ａの上端には、上記減圧開口１３ｂと対向するとともに上記開口周縁面１３ｃと所定の隙間Ｓを隔てる圧力開放面１４ｂが形成されている。この圧力開放面１４ｂの周囲には凹状のリング溝１４ｃ〔図２（ｃ）参照〕が形成されるとともに、このリング溝１４ｃの底部には、円周上等角度間隔（本例では４５度）で複数の吐出孔１４ｄが形成されている。この吐出孔１４ｄは、上記開口周縁面１３ｃと上記圧力開放面１４ｂとの間の間隔Ｓで発生した微細気泡を吐出させるためのものである。
【００２１】
上記吐出側ノズル部１４には、吐出孔１４ｄの吐出側周囲を形成するノズルカバー１５が設けられ、その下部には吐出口１５ａが形成されている。
【００２２】
上記供給側ノズル部１３の供給側ノズル本体１３ａの下部外周面には、雄ねじ１３ｅが形成されるとともに、上記吐出側ノズル部１４の吐出側ノズル本体１４ａの上部内周面には、上記雄ねじ１３ｅに螺合する雌ねじ１４ｅが形成されていて、これによって、供給側ノズル部１３と吐出側ノズル部１４とがねじ結合されている。
【００２３】
そして、供給側ノズル本体１３ａのシールリング１６を上記吐出口１０の内部に水密に嵌め込むことで、減圧弁９が気液溶解タンク４に連結されるようになる。このとき、供給側ノズル本体１３ａは、気液溶解タンク４に固定することが好ましい。
【００２４】
また、ノズルカバー１５には手操作用レバー１５ｂが設けられ、このレバー部１５ｂを円周方向に回動操作することで、上記雄ねじ１３ｅと雌ねじ１４ｅとのねじ結合部によって、供給側ノズル部１３に対して吐出側ノズル部１４が上下方向に移動して、供給側ノズル部１３と吐出側ノズル部１４との間の圧力開放隙間Ｓを調整できるようになる。
【００２５】
上記減圧弁９の構成では、気液溶解タンク４から加圧溶解された気液溶解浴水が供給されると（矢印Ｐ参照）、供給側ノズル本体１３ａの減圧開口１３ｂから開口周縁面１３ｃと圧力開放面１４ｂとの間の隙間Ｓに流れる過程で急激に減圧されるので、水道水ａ内の空気（気体）が減圧沸騰して微細気泡が発生し、白濁の濃い微細気泡を含む浴水に変換されながら、ノズルカバー１５の吐出口１５ａから吐出されるようになる。このとき、供給側ノズル本体１３ａの円弧凹状のリング溝１３ｄにより、浴水の乱流を抑制できるので、この部分での乱流による騒音を効果的に低減することができる。
【００２６】
上記のように微細気泡発生ノズル１１を構成すれば、気液溶解タンク４等をユニット化することで接続管等が不要となるので、微細気泡発生ノズル１１を蛇口２から取り外せば、携帯可能な程度にコンパクトになる。そして、空気吸引部６を蛇口２に差し込んで接続するだけで、微細気泡発生ノズル１１を蛇口２に簡単に取付けることができる。
【００２７】
また、水道水ａの水流を利用して微細気泡を発生させることができるので、イニシャルコスト、ランニングコストともに安価になる。
【００２８】
さらに、気液溶解タンク４に空気抜き弁８を設けているから、気液溶解タンク４内の余剰空気がタンク外に排出されるので、気液溶解性能が確保できるとともに、蛇口２への逆流も防止できるようになる。
【００２９】
また、気液溶解タンク４の上部に噴霧ノズル５と空気吸引部６とを連結し、気液溶解タンク４の下部に減圧弁９を連結しているから、止水栓３で蛇口２を閉じると、気液溶解タンク４内の残水は自重で吐出口１５ａから自動排水されるので衛生的である。
【００３０】
さらに、ノズルカバー１５のレバー部１５ｂを回動操作することで、供給側ノズル部１３に対して吐出側ノズル部１４が上下方向に移動して、供給側ノズル部１３と吐出側ノズル部１４との間の圧力開放隙間Ｓを調整できるから、微細気泡発生ノズル１１を蛇口２に取付けたままで、圧力開放隙間Ｓを狭く調整すれば、微細気泡の多い微細気泡水ｃが得られるとともに、圧力開放隙間Ｓを広く調整すれば、微細気泡の少ない通常の水道水ａが得られるようになる。
【図面の簡単な説明】
【００３１】
【図１】微細気泡発生ノズルの側面断面図である。
【図２】減圧弁であり、（ａ）は側面断面図、（ｂ）は（ａ）のＡ−Ａ線断面図、（ｃ）は（ａ）のＢ−Ｂ線断面図である。
【符号の説明】
【００３２】
１      水道管
２      蛇口
４      気液溶解タンク
６      空気吸引部
８      空気抜き弁
９      減圧弁
１０    吐出口
１１    微細気泡発生ノズル
１３    供給側ノズル部
１４    吐出側ノズル部
１５    ノズルカバー
１５ａ  吐出口
ａ      水道水
ｂ      空気
ｃ      微細気泡水
【図１】
2005205326.tif 000003
【図２】
2005205326.tif 000004